(57)【要約】【課題】  解除が容易で部材の傷付きがないロック機構付きパッケージ及び光トランシーバを提供する。【解決手段】  嵌合部材４をパッケージ本体１のある面に沿いかつ挿抜方向に垂直な回転軸の回りに回動自在に軸承し、パッケージ本体１には回動した垂直面５がパッケージ本体１のある面から突き出すことなく嵌合部材４を収容可能な空間を形成した。嵌合部材４がケージ２の穴３の縁から遠ざかる動きをするので、嵌合部材４の傷付きがなくなる。【選択図】  図１
2006091640.tif 000002
【特許請求の範囲】
【請求項１】
ホスト機器内のケージに対して挿抜自在に構成されたパッケージ本体と、この本体と一体であってホスト機器外に露出するパッケージ頭部と、上記本体のある面から突き出して上記ケージの穴に嵌り込むことにより上記本体の抜出を規制する嵌合部材とを有するロック機構付きパッケージにおいて、上記嵌合部材を上記本体のある面に沿いかつ挿抜方向に垂直な回転軸の回りに回動自在に軸承し、上記本体には回動した上記嵌合部材が該本体のある面から突き出すことなく上記嵌合部材を収容可能な空間を形成したことを特徴とするロック機構付きパッケージ。
【請求項２】
上記本体のある面が下面であることを特徴とする請求項１記載のロック機構付きパッケージ。
【請求項３】
上記嵌合部材が接する上記穴の縁と上記回転軸とを結ぶ仮想直線が上記本体下面の垂線となす角度は４５°以下であることを特徴とする請求項１又は２記載のロック機構付きパッケージ。
【請求項４】
上記嵌合部材に接して上記嵌合部材の回動を規制する嵌合部材規制部材を機器外方向に上記嵌合部材から外れる位置まで移動可能に設けたことを特徴とする請求項１〜３いずれか記載のロック機構付きパッケージ。
【請求項５】
上記嵌合部材をくさび状に形成したことを特徴とする請求項４記載のロック機構付きパッケージ。
【請求項６】
上記頭部に沿わせて上記嵌合部材規制部材の一端に連結されたレバーを設け、その連結箇所を軸として該レバーを機器外に傾倒可能に構成したことを特徴とする請求項４又は５記載のロック機構付きパッケージ。
【請求項７】
上記レバーの一端を自由端とし他端を回動支持する支点を上記頭部に設け、これら自由端と支点との間に上記嵌合部材規制部材の一端との連結箇所を配置したことを特徴とする請求項６記載のロック機構付きパッケージ。
【請求項８】
上記嵌合部材規制部材には上記レバーが連結されたのと反対端に上向きの突起を形成し、上記本体内部には上記嵌合部材規制部材が上記嵌合部材から外れる位置まで移動されたとき上記突起に干渉して上記嵌合部材規制部材の移動を止めるストッパ壁を形成したことを特徴とする請求項６又は７記載のロック機構付きパッケージ。
【請求項９】
上記嵌合部材規制部材が上記嵌合部材から外れる位置まで移動されるとき圧縮され、上記嵌合部材規制部材を上記嵌合部材まで押し戻す付勢機構を設けたことを特徴とする請求項４〜８いずれか記載のロック機構付きパッケージ。
【請求項１０】
上記頭部にその頭部の下面に開口して上記嵌合部材規制部材を移動可能に収容するスライド溝を形成したことを特徴とする請求項４〜９いずれか記載のロック機構付きパッケージ。
【請求項１１】
ホスト機器内のケージに対して挿抜自在に構成されたトランシーバ本体と、この本体と一体であってホスト機器外に露出するトランシーバ頭部と、上記本体の下面から突き出して上記ケージ下面の穴に嵌り込むことにより上記本体の抜出を規制する嵌合部材とを有する光トランシーバにおいて、上記嵌合部材を上記本体下面に沿いかつ挿抜方向に垂直な回転軸の回りに回動自在に軸承し、上記本体には回動した上記嵌合部材が該本体のある面から突き出すことなく上記嵌合部材を収容可能な空間を形成したことを特徴とする光トランシーバ。
【発明の詳細な説明】
【技術分野】
【０００１】
本発明は、基板に対して交換可能に取り付けるためのロック機構が設けられたロック機構付きパッケージ及び光トランシーバに係り、解除が容易で部材の傷付きがないロック機構付きパッケージ及び光トランシーバに関する。
【背景技術】
【０００２】
光通信を行うホスト機器には、実際に光ファイバに接続して光通信（狭義には光信号と電気信号との相互変換のみ、広義には低階層のプロトコル処理まで含む）を担当する光トランシーバが組み込まれる。光トランシーバには、ホスト機器の内部基板にはんだなどを用いて接続固定され組み込まれる固定タイプと、ホスト機器に窓を設け、この窓に光トランシーバを差し込んで使用するプラガブルタイプとがある。プラガブルタイプの光トランシーバは、故障や多様な通信仕様に対応して適宜光トランシーバを交換することができる。
【０００３】
ホスト機器内には、窓から差し込まれたプラガブルタイプの光トランシーバを収容するためのケージと呼ばれる片側開口容器を設け、そのケージの奥部に電気的接続用の接続端子（受け側）を設ける。光トランシーバは、光送受信に必要な光素子や電子回路を略直方体状のトランシーバ本体に収容し、このトランシーバ本体の一端に電気的接続用の接続端子（挿入側）を設ける。光トランシーバを窓からケージ内に差し込めば接続端子同士が電気的に接続されてホスト機器と光トランシーバとが互いに情報伝送可能になる。
【０００４】
ホスト機器に対して着脱自在な光トランシーバが不慮の振動や衝撃によってホスト機器から脱落しないよう、また、電気的接続が確実な状態が保たれるように、プラガブルタイプの光トランシーバにはロック機構が設けられる。具体的には、光トランシーバが接続端子による電気的接続の確実な位置に存在しているときに差し込みの方向に交差する方向に移動してホスト機器の一部であるケージに係合する部材をトランシーバ本体に設ける。この部材が光トランシーバをケージへ差し込む方向に交差する方向に移動してケージに係合するので、光トランシーバはロックされる。光トランシーバを抜き取る際にはこの部材がケージに係合しない位置まで反対方向に移動していればよい。
【０００５】
この部材をケージに係合する位置から係合しない位置まで移動させる操作をするために、従来は光トランシーバ内に嵌合部材が設けられる。嵌合部材は、ケージに係合するよう奥まった場所に配置されるため、この嵌合部材をホスト機器の窓の外から操作するには、一部が嵌合部材に達し、一部がホスト機器の窓の外に現れている可動部材が必要である。
【０００６】
図７に特許文献１に開示されているロック機構の要部を示す。
【０００７】
図７（ａ）に示したロック機構は、トランシーバ本体の下面（一点鎖線で示す）７１から突き出してケージ７２の下面に形成された穴７３に嵌り込むことによりトランシーバ本体の抜出（図面左方向への移動）を規制する嵌合部材７４を有するものであって、この嵌合部材７４にはトランシーバ本体下面から垂直に出る垂直面７５を形成し、この垂直面７５より機器外側（つまり左側）の位置で嵌合部材７４をトランシーバ本体下面に沿いかつ挿抜方向に垂直な回転軸７６の回りに回動自在に軸承したものである。当然のことながら、トランシーバ本体には嵌合部材７４が回動したとき垂直面７６がトランシーバ本体下面７１から下へ突き出すことなく嵌合部材７４を収容可能な空間をトランシーバ本体内に形成してある。
【０００８】
図７（ｂ）に示されるように、嵌合部材７４が回転軸７６の回りに反時計方向に回動してトランシーバ本体内の空間に入ると、垂直面７５がケージ７２の穴７３に当たらなくなり、ロックが解除される。この図では省略しているが、トランシーバ本体にはホスト機器外に露出するトランシーバ頭部が一体になっており、そのトランシーバ頭部には嵌合部材７４を回転操作するための別の可動部材が設けられる。
【０００９】
図８に特許文献２に開示されているロック機構の要部を示す。
【００１０】
図８（ａ）に示したロック機構は、トランシーバ本体の下面８１から突き出してケージ８２の下面に形成された穴８３に嵌り込むことによりトランシーバ本体の抜出（図面左方向への移動）を規制する固定突起８４を有する。固定突起８４はトランシーバ本体に対して固定である。この固定突起８４にはトランシーバ本体下面から垂直に出る垂直面８５を形成してある。
【００１１】
図８（ｂ）に示されるように、ケージ８２の下面のうち穴８３の周囲の部分はトランシーバ本体の機器外側が自由端になった板バネ８６になっており、この板バネ８６を下方に起こすと垂直面８５がケージ８２の穴８３に当たらなくなり、ロックが解除される。この図では省略しているが、トランシーバ本体にはホスト機器外に露出するトランシーバ頭部が一体になっており、そのトランシーバ頭部には板バネ８６を下方に起こす操作をするための可動部材が設けられる。
【００１２】
【特許文献１】米国特許第６４３９９１８号明細書
【特許文献２】米国特許第５９８０３２４号明細書
【発明の開示】
【発明が解決しようとする課題】
【００１３】
図７のロック機構ではトランシーバ本体に組み込まれている嵌合部材７４が移動してケージ７２の穴７３から外れる。一方、図８のロック機構ではケージ８２の一部が起きあがることでトランシーバ本体に固定の固定突起８４がケージ８２の穴８３から外れる。
【００１４】
しかし、いずれの場合も共通して、垂直面７５，８５がケージ７２，８２の穴７３，８３の縁に当たっており、この縁に擦れるようにして穴７３，８３から出ていく。穴７３，８３は、板金製のケージ７２，８２を打ち抜いて加工されるため、縁が尖っている。その穴７３，８３の縁を垂直面７５，８５が擦ることになるため、嵌合部材７４あるいは固定突起８４が損傷したり、摩耗してラッチが不確実になることがある。また、擦れにより発生する削り粉がホスト機器内外に飛散すると、光接続の妨げになったり、電気的障害の原因となる。
【００１５】
そこで、本発明の目的は、上記課題を解決し、解除が容易で部材の傷付きがないロック機構付きパッケージ及び光トランシーバを提供することにある。
【課題を解決するための手段】
【００１６】
上記目的を達成するために本発明のロック機構付きパッケージは、ホスト機器内のケージに対して挿抜自在に構成されたパッケージ本体と、この本体と一体であってホスト機器外に露出するパッケージ頭部と、上記本体のある面から突き出して上記ケージの穴に嵌り込むことにより上記本体の抜出を規制する嵌合部材とを有するロック機構付きパッケージにおいて、上記嵌合部材を上記本体のある面に沿いかつ挿抜方向に垂直な回転軸の回りに回動自在に軸承し、上記本体には回動した上記嵌合部材が該本体のある面から突き出すことなく上記嵌合部材を収容可能な空間を形成したものである。
【００１７】
上記本体のある面が下面であってもよい。
【００１８】
上記嵌合部材が接する上記穴の縁と上記回転軸とを結ぶ仮想直線が上記本体下面の垂線となす角度は４５°以下であってもよい。
【００１９】
上記嵌合部材に接して上記嵌合部材の回動を規制する嵌合部材規制部材を機器外方向に上記嵌合部材から外れる位置まで移動可能に設けてもよい。
【００２０】
上記嵌合部材をくさび状に形成してもよい。
【００２１】
上記頭部に沿わせて上記嵌合部材規制部材の一端に連結されたレバーを設け、その連結箇所を軸として該レバーを機器外に傾倒可能に構成してもよい。
【００２２】
上記レバーの一端を自由端とし他端を回動支持する支点を上記頭部に設け、これら自由端と支点との間に上記嵌合部材規制部材の一端との連結箇所を配置してもよい。
【００２３】
上記嵌合部材規制部材には上記レバーが連結されたのと反対端に上向きの突起を形成し、上記本体内部には上記嵌合部材規制部材が上記嵌合部材から外れる位置まで移動されたとき上記突起に干渉して上記嵌合部材規制部材の移動を止めるストッパ壁を形成してもよい。
【００２４】
上記嵌合部材規制部材が上記嵌合部材から外れる位置まで移動されるとき圧縮され、上記嵌合部材規制部材を上記嵌合部材の背面まで押し戻す付勢機構を設けてもよい。
【００２５】
上記頭部にその頭部の下面に開口して上記嵌合部材規制部材を移動可能に収容するスライド溝を形成してもよい。
【００２６】
また、本発明の光トランシーバは、ホスト機器内のケージに対して挿抜自在に構成されたトランシーバ本体と、この本体と一体であってホスト機器外に露出するトランシーバ頭部と、上記本体の下面から突き出して上記ケージ下面の穴に嵌り込むことにより上記本体の抜出を規制する嵌合部材とを有する光トランシーバにおいて、上記嵌合部材を上記本体のある面に沿いかつ挿抜方向に垂直な回転軸の回りに回動自在に軸承し、上記本体には回動した上記嵌合部材が該本体のある面から突き出すことなく上記嵌合部材を収容可能な空間を形成したものである。
【発明の効果】
【００２７】
本発明は次の如き優れた効果を発揮する。
【００２８】
（１）解除が容易（少ない力で解除が可能）となる。
【００２９】
（２）嵌合部材がケージの穴の縁から遠ざかるので、嵌合部材の傷付きがなくなる。
【発明を実施するための最良の形態】
【００３０】
以下、本発明の一実施形態を添付図面に基づいて詳述する。
【００３１】
図１に本発明に係るロック機構付きパッケージを光トランシーバに応用した場合のロック機構の要部を示す。
【００３２】
図１（ａ）に示したロック機構は、パッケージ本体のある面としてのトランシーバ本体の下面（一点鎖線で示す）１から突き出してケージ２の下面に形成された穴３に嵌り込むことによりトランシーバ本体の抜出（図面左方向への移動）を規制する嵌合部材４を有するものであって、この嵌合部材４にはトランシーバ本体下面から垂直に出る垂直面５を形成し、この垂直面５よりケージ奥側（つまり右側）の位置で嵌合部材４をトランシーバ本体下面に沿いかつ挿抜方向に垂直な回転軸６の回りに回動自在に軸承したものである。当然のことながら、トランシーバ本体には回動した垂直面５がトランシーバ本体下面から突き出すことなく嵌合部材４を収容可能な空間をトランシーバ本体内に形成してある。
【００３３】
図１（ｂ）に示されるように、嵌合部材４がケージ２から機器外方向へ移動すると、穴３の縁が垂直面５を押し、嵌合部材４が回転軸６の回りに反時計方向に回動して垂直面５を含む嵌合部材４の全体がトランシーバ本体内の空間に入ると、垂直面５がケージ２の穴３の縁に当たらなくなり、ロックが解除される。
【００３４】
ここで、本発明のロック機構と図７のロック機構とを比較すると、図７では回転軸７６が垂直面７５より機器外側にあるのに対し、図１では回転軸６が垂直面５よりケージ奥側にある。図７において嵌合部材７４が回転軸７６の回りに反時計方向に回動すると、穴７３の縁を垂直面７５が擦ることになる。ところが、図１においては、嵌合部材４が回転軸６の回りに反時計方向に回動すると、垂直面５は穴３の縁から遠ざかるので穴３の縁を垂直面５が擦ることはない。これにより、嵌合部材４の傷付きが全くなくなり、前述した課題が解決される。
【００３５】
垂直面５が接触するケージ２の穴３の縁と回転軸６とを結ぶ仮想直線が本体の下面１の垂線となす角度θは４５°以下が望ましい。この角度θが４５°より大きいと、垂直面５が回転軸６から離れたところに位置するため、嵌合部材４が回転軸６の回りに反時計方向に回動するときに垂直面５がケージ２の穴３の縁に擦れる動きが出てくるからである。
【００３６】
なお、この実施の形態では、嵌合部材４にトランシーバ本体下面から垂直に出る垂直面５を形成したが、嵌合部材４はケージ２の穴３の縁に係合すればよいので、傾斜のある平面でもよいし、曲面でもよい。
【００３７】
以下、本発明に係る光トランシーバの他の部分も含めた説明をする。
【００３８】
図２に示されるように、嵌合部材４には垂直面５に対して垂直な背面７が形成されている。この背面７に接して嵌合部材４の回動を規制する嵌合部材規制部材８が設けられている。この嵌合部材規制部材８は、機器外に背面７から外れる位置まで移動可能に設けられている。嵌合部材規制部材８が背面７から外れる位置については後に図３（ｃ）で説明する。背面７の反対側は背面７とは並行でないくさび面１５になっている。くさび面１５は垂直面５との内角が鋭角である。従って、嵌合部材４はケージ奥に向かって尖ったくさび状になっている。
【００３９】
ケージ２に挿入されるトランシーバ本体９とホスト機器外に露出するパッケージ頭部としてのトランシーバ頭部１０とは一体に形成されている。そのトランシーバ頭部１０に沿わせて嵌合部材規制部材８の一端に連結されたレバー１１が設けられている。トランシーバ頭部１０は、上部が斜めに後退した形状になっており、レバー１１はこれに沿ってく字状に折り曲げられ、さらにトランシーバ頭部１０の上部に沿ってく字状に折り曲げられている。レバー１１は嵌合部材規制部材８との連結箇所を軸として機器外に傾倒可能に構成されている。
【００４０】
嵌合部材規制部材８には、レバー１１が連結された一端とは反対端に上向きの突起１２が形成されている。一方、トランシーバ本体９の内部には嵌合部材規制部材８が嵌合部材４の背面７から外れる位置まで移動されたとき突起１２に干渉して嵌合部材規制部材８の移動を止めるストッパ壁１３が形成されている。
【００４１】
トランシーバ頭部１０内には、嵌合部材規制部材８が嵌合部材４の背面７から外れる位置まで移動されるとき圧縮され、この圧縮の力が解放されたとき嵌合部材規制部材８を嵌合部材４の背面７まで押し戻す付勢機構１４が設けられている。
【００４２】
なお、図には示していないが、この光トランシーバには、トランシーバ頭部１０からトランシーバ本体９にかけて光コネクタを差し込むレセプタクルが形成され、トランシーバ本体９内には、そのレセプタクルに臨む受光モジュール及び発光モジュール、これら受光モジュール及び発光モジュールを用いて光送受信を行う電子回路、ホスト機器との通信を行う電子回路、この通信のためにケージ２内の端子と接続される端子などが組み込まれている。
【００４３】
嵌合部材４は強度が高いことが望ましい。よって、嵌合部材４には亜鉛ダイカスト、アルミダイカストを用いるとよい。さらに強度を高くする場合には、メタルインジェクションモールド（ステンレス鋼）を用いるとよい。一方、レバー１１は針金（ステンレス鋼）を折り曲げて作ってもよいし、亜鉛ダイカスト、アルミダイカスト、プラスチック（樹脂）成形などで作ってもよい。その他の部材は、亜鉛ダイカスト、アルミダイカスト、プラスチック（樹脂）成形などで作る。いずれの部材についても、材料コストと強度とのトレードオフにより材料を選択するとよい。
【００４４】
図２の光トランシーバにおけるロック・アンロックの動作を図３により説明する。
【００４５】
まず、図２の状態では嵌合部材規制部材８が嵌合部材４の背面７に接しているため嵌合部材４が反時計方向に回動することが規制されている。さらに、嵌合部材４がケージ２の下面に形成された穴３に嵌り込み、穴３の縁に垂直面５が当たることによりトランシーバ本体９の抜出が規制される。
【００４６】
この状態から図３（ａ）に示されるように、レバー１１を機器外に傾倒させて嵌合部材規制部材８の延長上に位置させる。次いで図３（ｂ）に示されるように、レバー１１を機器外方向に引く。レバー１１の引き抜きに伴い嵌合部材規制部材８も機器外方向に移動することになる。このとき付勢機構１４は圧縮されていく。
【００４７】
図３（ｃ）に示されるように、嵌合部材規制部材８が嵌合部材４の背面７から外れる位置まで移動されたときストッパ壁１３が突起１２に干渉して嵌合部材規制部材８の移動を止める。なお、ここで言う移動はトランシーバ本体９に対する嵌合部材規制部材８の相対移動のことである。実際には、レバー１１を継続して引くと、突起１２がストッパ壁１３を押してトランシーバ本体９を機器外方向に移動させようとする。一方、このとき嵌合部材４は背面７を押さえるものがないので反時計方向への回動が自由になっている。従って、トランシーバ本体９を機器外方向に移動させようとすると、ケージ２の下面に形成された穴３の縁に垂直面５が押されて嵌合部材４が反時計方向へ回動する。回動した垂直面５がトランシーバ本体９の下面から突き出すことなく嵌合部材４がトランシーバ本体９内へ収容される。このように、背景技術では嵌合部材７４（図７）、板バネ８６（図８）を動かす操作をするために嵌合部材を必要としたが、本発明では嵌合部材４を規制している嵌合部材規制部材８を嵌合部材４から外せば、嵌合部材４は光トランシーバを引くだけで自然に回動する。
【００４８】
図３（ｃ）の状態からさらにレバー１１を、あるいは光トランシーバを引くと、移動を妨げる物はないので光トランシーバは引き抜かれることになる。その後、レバー１１を放すと付勢機構１４の復元力により嵌合部材規制部材８は元の位置へ戻る。
【００４９】
逆に、光トランシーバをケージ２に挿入する場合、ケージ２の外で光トランシーバを図９の状態、つまり付勢機構１４が復元して嵌合部材規制部材８が嵌合部材４に乗った状態とし、トランシーバ本体９をケージ２に差し込んでいく。嵌合部材４はくさび斜面１５を有するので、ケージ２の入口にある図８（ｂ）で説明した板バネ８６を押し広げるようにして進む。そして、嵌合部材４が穴３に嵌ると板バネがもとへ戻り、図２の状態となる。
【００５０】
以上のように、嵌合部材４に垂直面５に対して垂直な背面７を形成し、この背面７に接して嵌合部材４の回動を規制する嵌合部材規制部材８を機器外に背面７から外れる位置まで移動可能に設けたので、嵌合部材規制部材８の移動によりロック・アンロックを操作することができる。
【００５１】
また、トランシーバ頭部１０部沿わせて嵌合部材規制部材８の一端に連結されたレバー１１を設け、その連結箇所を軸としてレバー１１を機器外に傾倒可能に構成したので、普段はレバー１１を畳んで邪魔にならないようにし、必要なときだけレバー１１を伸ばして容易に嵌合部材規制部材８の移動を操作することができる。
【００５２】
また、嵌合部材規制部材８にはレバー１１が連結されたのと反対端に上向きの突起１２を形成し、トランシーバ本体９内部には嵌合部材規制部材８が嵌合部材４の背面７から外れる位置まで移動されたとき突起１２に干渉して嵌合部材規制部材８の移動を止めるストッパ壁１３を形成したので、レバー１１の引きによるアンチロックの操作に続けて光トランシーバの抜き取りを行うことができる。
【００５３】
また、嵌合部材規制部材８が嵌合部材４の背面７から外れる位置まで移動されるとき圧縮される付勢機構１４を設け、この付勢機構１４の力で嵌合部材規制部材８を嵌合部材４の背面７まで押し戻すようにしたので、レバー１１を放せば嵌合部材規制部材８が嵌合部材４の背面７まで押し戻される。
【００５４】
次に、レバーの変形例を説明する。
【００５５】
図４に示されるように、レバー４１は、図２の構成と同様にトランシーバ頭部１０の上部が斜めに後退した形状に沿ってく字状に折り曲げられ、さらにトランシーバ頭部１０の上部に沿ってく字状に折り曲げられている。トランシーバ頭部１０の上部に位置するレバー４１の一端が自由端４２である点は図２の構成と同様である。しかし、レバー４１を回動支持する支点４３はトランシーバ頭部１０の下部に設けられる。そして、これら自由端４２と支点４３との間に嵌合部材規制部材４４の一端との連結箇所４５が配置されている。
【００５６】
レバー４１を機器外に倒していくと、嵌合部材規制部材４４も機器外方向に移動していく。その他の動きは前述の形態と同様である。
【００５７】
次に、本発明の光トランシーバの組み立て構造を説明する。
【００５８】
図５に示されるように、光トランシーバは、トランシーバ頭部１０とトランシーバ本体９からなる筐体アセンブリ５１と、付勢機構１４と、嵌合部材４と、嵌合部材規制部材８とレバー１１を一体化してなるアクチュエータアセンブリ５２と、アンダーカバー５３とに分割することができる。嵌合部材規制部材８は、付勢機構１４が間にはいるように間隔をあけて並べた２本のアーム５４と、嵌合部材４の背面７を押さえる舌部５５とを一体に形成したものであり、２本のアーム５４の端部間に回転軸受けとなる円筒５６が差し渡して取り付けられている。レバー１１は、光コネクタのレセプタクルとなっているトランシーバ頭部１０の中央部分を回避するようにコ字状に曲げられ、その両端がさらに内側に折り曲げられて回転軸となる丸棒に連結され、その丸棒は上記円筒に挿通されている。嵌合部材４は、図１で説明した垂直面５と背面７とを有する立体であり、その垂直面５と背面７の角に回転軸となる丸棒５７を一体に形成してある。アンダーカバー５３は、筐体アセンブリ５１のトランシーバ頭部１０側の下面を覆う底部と側面に折れ曲がった側板とを一体に形成した板材であり、底部には嵌合部材４の出入り口となる切り欠き５８が設けられ、側板には後述するスナップ部を係止するための小窓５９が形成されている。
【００５９】
図６に示されるように、筐体アセンブリ５１のトランシーバ頭部１０側にはそのトランシーバ頭部１０の下面に開口して嵌合部材規制部材８を移動可能に収容するスライド溝６１が形成されている。スライド溝６１はアーム５４を幅方向に規制して嵌合部材規制部材８の移動方向を挿抜方向のみに限定している。このスライド溝６１はトランシーバ本体９の下面に延びて嵌合部材４が回動して収容される空間へとつながっている。スライド溝６１内には、付勢機構１４の一端を受け止めるバネステー６２が形成されている。付勢機構１４の他端は２本のアーム５４間の舌部５５に当接される。トランシーバ頭部１０の側面にはスナップ部６３が突き出るように形成されている。トランシーバ頭部１０の下面には嵌合部材４の回転軸である丸棒５７を嵌めるための丸溝６４が形成されている。
【００６０】
図６の筐体アセンブリ５１のスライド溝６１にアクチュエータアセンブリ５２と付勢機構１４と嵌合部材４とを収容した後、スライド溝６１の開口を覆ってアンダーカバー５３を筐体アセンブリ５１に取り付ける。スナップ部６３が小窓５９に嵌り込むことで、アンダーカバー５３が固定される。これにより、各パーツがスライド溝６１内に保持される。
【図面の簡単な説明】
【００６１】
【図１】本発明の一実施形態を示す光トランシーバのロック機構の要部構成図であり、（ａ）はロック時、（ｂ）はアンロック時を示す。
【図２】本発明の一実施形態を示す光トランシーバのロック機構関連部分の構成図である。
【図３】（ａ）〜（ｃ）は図２のロック機構関連部分の異なる状態を示す図である。
【図４】図２のロック機構関連部分の変形例であるレバー及び嵌合部材規制部材の図である。
【図５】本発明の一実施形態を示す光トランシーバの分解斜視図である。
【図６】図５の光トランシーバの視角を代えて見た分解斜視図である。
【図７】背景技術の光トランシーバのロック機構の要部構成図であり、（ａ）はロック時、（ｂ）はアンロック時を示す。
【図８】背景技術の光トランシーバのロック機構の要部構成図であり、（ａ）はロック時、（ｂ）はアンロック時を示す。
【図９】図２のロック機構関連部分の異なる状態を示す図である。
【符号の説明】
【００６２】
１  トランシーバ本体（パッケージ本体）の下面（ある面）
２  ケージ
３  穴
４  嵌合部材
５  垂直面
６  回転軸
【図１】
2006091640.tif 000003
【図２】
2006091640.tif 000004
【図３】
2006091640.tif 000005
【図４】
2006091640.tif 000006
【図５】
2006091640.tif 000007
【図６】
2006091640.tif 000008
【図７】
2006091640.tif 000009
【図８】
2006091640.tif 000010
【図９】
2006091640.tif 000011